(57)【特許請求の範囲】
【請求項１】
文書管理装置と認証装置と画像形成装置とを具備し、
前記文書管理装置は、
文書を記憶する文書記憶手段と、
印刷要求および認証情報を受け付ける受付手段と、
通信手段を介して接続する前記認証装置に対して前記受付手段で受け付けた認証情報の認証を要求し、該認証装置からの認証結果を受け付ける認証要求手段と、
前記印刷要求の対象の文書から印刷データを作成し、該作成した印刷データに前記認証情報を付加する印刷データ作成手段と、
前記通信手段を介して接続する前記画像形成装置に対して前記印刷データ作成手段で作成した印刷データを送信する印刷データ送信手段と
を具備し、
前記認証装置は、
前記認証情報毎に地紋画像として付加する地紋情報を記憶する地紋情報記憶手段と、
前記通信手段を介して接続する前記文書管理装置から前記認証情報の認証要求を受け付けた際に、該認証情報の認証を行い、該認証情報に対する印刷の可否に関する認証結果を前記文書管理装置に対して送信する認証結果送信手段と、
前記通信手段を介して接続する前記画像形成装置から前記認証情報の認証要求を受け付けた際に、前記地紋情報記憶手段に記憶した地紋情報のうち該認証要求を受け付けた認証情報に対応した地紋情報を前記画像形成装置に対して送信する地紋情報送信手段と
を具備し、
前記画像形成装置は、
前記通信手段を介して接続する前記文書管理装置からの前記印刷データを受信する印刷データ受信手段と、
前記印刷データ受信手段で受信した印刷データに含まれる前記認証情報を抽出する認証情報抽出手段と、
前記通信手段を介して接続する前記認証装置に対して前記認証情報抽出手段で抽出した認証情報の認証を要求し、該認証装置からの該認証情報に対応する地紋情報を受け付ける認証要求手段と、
前記認証要求手段で受け付けた地紋情報に基づいて地紋画像を作成する地紋画像作成手段と、
前記印刷データから印刷画像を作成する印刷画像作成手段と、
前記印刷画像作成手段で作成した印刷画像に前記地紋画像作成手段で作成した地紋画像を合成する合成手段と、
前記合成手段で前記地紋画像が合成された印刷画像を画像形成する画像形成手段と
を具備することを特徴とする文書処理システム。
【請求項２】
画像形成装置と文書管理装置と認証装置とを具備し、
前記画像形成装置は、
印刷要求および認証情報を受け付ける受付手段と、
通信手段を介して接続する前記文書管理装置に対して前記受付手段で受け付けた印刷要求、認証情報を送信する印刷要求・認証情報送信手段と、
前記文書管理装置からの前記印刷要求に基づく印刷データを受信する印刷データ受信手段と、
前記印刷データ受信手段で受信した印刷データに含まれる前記認証情報を抽出する認証情報抽出手段と、
前記通信手段を介して接続する前記認証装置に対して前記認証情報抽出手段で抽出した認証情報の認証を要求し、該認証装置からの該認証情報に対応する地紋情報を受け付ける認証要求手段と、
前記認証要求手段で受け付けた地紋情報に基づいて地紋画像を作成する地紋画像作成手段と、
前記印刷データから印刷画像を作成する印刷画像作成手段と、
前記印刷画像作成手段で作成した印刷画像に前記地紋画像作成手段で作成した地紋画像を合成する合成手段と、
前記合成手段で前記地紋画像が合成された印刷画像を画像形成する画像形成手段と
を具備し、
前記文書管理装置は、
文書を記憶する文書記憶手段と、
前記通信手段を介して接続する前記画像形成装置からの前記印刷要求、前記認証情報を受信する印刷要求・認証情報受信手段と、
前記通信手段を介して接続する前記認証装置に対して前記印刷要求・認証情報受信手段で受け付けた認証情報の認証を要求し、該認証装置からの認証結果を受け付ける認証要求手段と、
前記印刷要求の対象の文書から印刷データを作成し、該作成した印刷データに前記認証情報を付加する印刷データ作成手段と、
前記画像形成装置に対して前記印刷データ作成手段で作成した印刷データを送信する印刷データ送信手段と
を具備し、
前記認証装置は、
前記認証情報毎に地紋画像として付加する地紋情報を記憶する地紋情報記憶手段と、
前記通信手段を介して接続する前記文書管理装置から前記認証情報の認証要求を受け付けた際に、該認証情報の認証を行い、該認証情報に対する印刷の可否に関する認証結果を前記文書管理装置に対して送信する認証結果送信手段と、
前記通信手段を介して接続する前記画像形成装置から前記認証情報の認証要求を受け付けた際に、前記地紋情報記憶手段に記憶した地紋情報のうち該認証要求を受け付けた認証情報に対応した地紋情報を前記画像形成装置に対して送信する地紋情報送信手段と
を具備することを特徴とする文書処理システム。
【請求項３】
認証情報が含まれている印刷データを受信する印刷データ受信手段と、
前記印刷データ受信手段で受信した印刷データに含まれる前記認証情報を抽出する認証情報抽出手段と、
通信手段を介して接続する認証装置に対して前記認証情報抽出手段で抽出した認証情報の認証を要求し、該認証装置からの該認証情報に対応する地紋情報を受け付ける認証要求手段と、
前記認証要求手段で受け付けた地紋情報に基づいて地紋画像を作成する地紋画像作成手段と、
前記印刷データから印刷画像を作成する印刷画像作成手段と、
前記印刷画像作成手段で作成した印刷画像に前記地紋画像作成手段で作成した地紋画像を合成する合成手段と、
前記合成手段で前記地紋画像が合成された印刷画像を画像形成する画像形成手段と
を具備することを特徴とする画像形成装置。
【請求項４】
認証情報毎に地紋画像として付加する地紋情報を記憶する地紋情報記憶手段と、
通信手段を介して接続する文書管理装置から認証情報の認証要求を受け付けた際に、該認証情報の認証を行い、該認証情報に対する印刷の可否に関する認証結果を前記文書管理装置に対して送信する認証結果送信手段と、
前記通信手段を介して接続する画像形成装置から認証情報の認証要求を受け付けた際に、前記地紋情報記憶手段に記憶した地紋情報のうち該認証要求を受け付けた認証情報に対応した地紋情報を前記画像形成装置に対して送信する地紋情報送信手段と
を具備することを特徴とする認証装置。
【請求項５】
認証情報が含まれている印刷データを受信する印刷データ受信処理と、
前記受信した印刷データに含まれる前記認証情報を抽出する認証情報抽出処理と、
通信手段を介して接続する認証装置に対して前記抽出した認証情報の認証を要求し、該認証装置からの該認証情報に対応する地紋情報を受け付ける認証要求処理と、
前記受け付けた地紋情報に基づいて地紋画像を作成する地紋画像作成処理と、
前記印刷データから印刷画像を作成する印刷画像作成処理と、
前記作成した印刷画像に前記作成した地紋画像を合成する合成処理と、
前記地紋画像が合成された印刷画像を画像形成する画像形成処理と
を画像形成装置に実行させることを特徴とする画像形成プログラム。
【請求項６】
認証情報毎に地紋画像として付加する地紋情報を記憶する地紋情報記憶処理と、
通信手段を介して接続する文書管理装置から認証情報の認証要求を受け付けた際に、該認証情報の認証を行い、該認証情報に対する印刷の可否に関する認証結果を前記文書管理装置に対して送信する認証結果送信処理と、
前記通信手段を介して接続する画像形成装置から認証情報の認証要求を受け付けた際に、前記地紋情報記憶手段に記憶した地紋情報のうち該認証要求を受け付けた認証情報に対応した地紋情報を前記画像形成装置に対して送信する地紋情報送信処理と
をコンピュータに実行させることを特徴とする認証プログラム。
【発明の詳細な説明】
【技術分野】
【０００１】
本発明は、文書処理システム、文書管理装置、画像形成装置、認証装置、文書管理プログラム、画像形成プログラム、認証プログラムに関する。
【背景技術】
【０００２】
近年、文書のセキュリティに関する意識の高まりから、プリンタ等の画像形成装置で形成する印刷結果に複写牽制模様（以後、地紋画像と称する）を付加する技術が開発されている。
【０００３】
例えば、地紋パターンのデータを印刷ジョブに付加して印刷を行う場合は印刷ジョブの印刷が可能か否かを判断する認証処理を行い、その認証処理によって印刷ジョブの印刷が可能と判断されて認証が得られた場合は認証に関する情報（ユーザ名）を印刷ジョブに地紋パターンとして付加する印刷システム、印刷装置、プログラム、および記録媒体がある（例えば、特許文献１参照。）。
【０００４】
例えば、印刷者のＩＣカードに書き込まれているＩＤ等をエンコードして生成した不可視のユニークな印刷ウォーターマークを文書の背景に印字する文書管理システムがある（例えば、特許文献２参照。）。
【特許文献１】特開２００６−３３１２０３号公報
【特許文献２】特開２００４−２８０２２７号公報
【発明の開示】
【発明が解決しようとする課題】
【０００５】
本発明は、１回の認証操作で印刷者を特定するための地紋画像を合成した印刷ができる文書処理システム、画像形成装置、認証装置、画像形成プログラム、認証プログラムを提供することを目的とする。
【課題を解決するための手段】
【０００６】
上記目的を達成するため、請求項１の発明は、文書管理装置と認証装置と画像形成装置とを具備し、前記文書管理装置は、文書を記憶する文書記憶手段と、印刷要求および認証情報を受け付ける受付手段と、通信手段を介して接続する前記認証装置に対して前記受付手段で受け付けた認証情報の認証を要求し、該認証装置からの認証結果を受け付ける認証要求手段と、前記印刷要求の対象の文書から印刷データを作成し、該作成した印刷データに前記認証情報を付加する印刷データ作成手段と、前記通信手段を介して接続する前記画像形成装置に対して前記印刷データ作成手段で作成した印刷データを送信する印刷データ送信手段とを具備し、前記認証装置は、前記認証情報毎に地紋画像として付加する地紋情報を記憶する地紋情報記憶手段と、前記通信手段を介して接続する前記文書管理装置から前記認証情報の認証要求を受け付けた際に、該認証情報の認証を行い、該認証情報に対する印刷の可否に関する認証結果を前記文書管理装置に対して送信する認証結果送信手段と、前記通信手段を介して接続する前記画像形成装置から前記認証情報の認証要求を受け付けた際に、前記地紋情報記憶手段に記憶した地紋情報のうち該認証要求を受け付けた認証情報に対応した地紋情報を前記画像形成装置に対して送信する地紋情報送信手段とを具備し、前記画像形成装置は、前記通信手段を介して接続する前記文書管理装置からの前記印刷データを受信する印刷データ受信手段と、前記印刷データ受信手段で受信した印刷データに含まれる前記認証情報を抽出する認証情報抽出手段と、前記通信手段を介して接続する前記認証装置に対して前記認証情報抽出手段で抽出した認証情報の認証を要求し、該認証装置からの該認証情報に対応する地紋情報を受け付ける認証要求手段と、前記認証要求手段で受け付けた地紋情報に基づいて地紋画像を作成する地紋画像作成手段と、前記印刷データから印刷画像を作成する印刷画像作成手段と、前記印刷画像作成手段で作成した印刷画像に前記地紋画像作成手段で作成した地紋画像を合成する合成手段と、前記合成手段で前記地紋画像が合成された印刷画像を画像形成する画像形成手段とを具備することを特徴とする。
【０００８】
また、請求項２の発明は、画像形成装置と文書管理装置と認証装置とを具備し、前記画像形成装置は、印刷要求および認証情報を受け付ける受付手段と、通信手段を介して接続する前記文書管理装置に対して前記受付手段で受け付けた印刷要求、認証情報を送信する印刷要求・認証情報送信手段と、前記文書管理装置からの前記印刷要求に基づく印刷データを受信する印刷データ受信手段と、前記印刷データ受信手段で受信した印刷データに含まれる前記認証情報を抽出する認証情報抽出手段と、前記通信手段を介して接続する前記認証装置に対して前記認証情報抽出手段で抽出した認証情報の認証を要求し、該認証装置からの該認証情報に対応する地紋情報を受け付ける認証要求手段と、前記認証要求手段で受け付けた地紋情報に基づいて地紋画像を作成する地紋画像作成手段と、前記印刷データから印刷画像を作成する印刷画像作成手段と、前記印刷画像作成手段で作成した印刷画像に前記地紋画像作成手段で作成した地紋画像を合成する合成手段と、前記合成手段で前記地紋画像が合成された印刷画像を画像形成する画像形成手段とを具備し、前記文書管理装置は、文書を記憶する文書記憶手段と、前記通信手段を介して接続する前記画像形成装置からの前記印刷要求、前記認証情報を受信する印刷要求・認証情報受信手段と、前記通信手段を介して接続する前記認証装置に対して前記印刷要求・認証情報受信手段で受け付けた認証情報の認証を要求し、該認証装置からの認証結果を受け付ける認証要求手段と、前記印刷要求の対象の文書から印刷データを作成し、該作成した印刷データに前記認証情報を付加する印刷データ作成手段と、前記画像形成装置に対して前記印刷データ作成手段で作成した印刷データを送信する印刷データ送信手段とを具備し、前記認証装置は、前記認証情報毎に地紋画像として付加する地紋情報を記憶する地紋情報記憶手段と、前記通信手段を介して接続する前記文書管理装置から前記認証情報の認証要求を受け付けた際に、該認証情報の認証を行い、該認証情報に対する印刷の可否に関する認証結果を前記文書管理装置に対して送信する認証結果送信手段と、前記通信手段を介して接続する前記画像形成装置から前記認証情報の認証要求を受け付けた際に、前記地紋情報記憶手段に記憶した地紋情報のうち該認証要求を受け付けた認証情報に対応した地紋情報を前記画像形成装置に対して送信する地紋情報送信手段とを具備することを特徴とする。
【００１０】
また、請求項３の発明は、認証情報が含まれている印刷データを受信する印刷データ受信手段と、前記印刷データ受信手段で受信した印刷データに含まれる前記認証情報を抽出する認証情報抽出手段と、通信手段を介して接続する認証装置に対して前記認証情報抽出手段で抽出した認証情報の認証を要求し、該認証装置からの該認証情報に対応する地紋情報を受け付ける認証要求手段と、前記認証要求手段で受け付けた地紋情報に基づいて地紋画像を作成する地紋画像作成手段と、前記印刷データから印刷画像を作成する印刷画像作成手段と、前記印刷画像作成手段で作成した印刷画像に前記地紋画像作成手段で作成した地紋画像を合成する合成手段と、前記合成手段で前記地紋画像が合成された印刷画像を画像形成する画像形成手段とを具備することを特徴とする。
【００１２】
また、請求項４の発明は、認証情報毎に地紋画像として付加する地紋情報を記憶する地紋情報記憶手段と、通信手段を介して接続する文書管理装置から認証情報の認証要求を受け付けた際に、該認証情報の認証を行い、該認証情報に対する印刷の可否に関する認証結果を前記文書管理装置に対して送信する認証結果送信手段と、前記通信手段を介して接続する画像形成装置から認証情報の認証要求を受け付けた際に、前記地紋情報記憶手段に記憶した地紋情報のうち該認証要求を受け付けた認証情報に対応した地紋情報を前記画像形成装置に対して送信する地紋情報送信手段とを具備することを特徴とする。
【００１４】
また、請求項５の発明は、認証情報が含まれている印刷データを受信する印刷データ受信処理と、前記受信した印刷データに含まれる前記認証情報を抽出する認証情報抽出処理と、通信手段を介して接続する認証装置に対して前記抽出した認証情報の認証を要求し、該認証装置からの該認証情報に対応する地紋情報を受け付ける認証要求処理と、前記受け付けた地紋情報に基づいて地紋画像を作成する地紋画像作成処理と、前記印刷データから印刷画像を作成する印刷画像作成処理と、前記作成した印刷画像に前記作成した地紋画像を合成する合成処理と、前記地紋画像が合成された印刷画像を画像形成する画像形成処理とを画像形成装置に実行させることを特徴とする。
【００１６】
また、請求項６の発明は、認証情報毎に地紋画像として付加する地紋情報を記憶する地紋情報記憶処理と、通信手段を介して接続する文書管理装置から認証情報の認証要求を受け付けた際に、該認証情報の認証を行い、該認証情報に対する印刷の可否に関する認証結果を前記文書管理装置に対して送信する認証結果送信処理と、前記通信手段を介して接続する画像形成装置から認証情報の認証要求を受け付けた際に、前記地紋情報記憶手段に記憶した地紋情報のうち該認証要求を受け付けた認証情報に対応した地紋情報を前記画像形成装置に対して送信する地紋情報送信処理とをコンピュータに実行させることを特徴とする。
【発明の効果】
【００１７】
請求項１乃至６に記載の発明は、１回の認証操作で印刷者を特定するための地紋画像を合成した印刷を行うことが可能となる。
【発明を実施するための最良の形態】
【００１８】
以下、本発明に係る文書処理システム、画像形成装置、認証装置、画像形成プログラム、認証プログラムの実施の形態について添付図面を参照して詳細に説明する。
【実施例１】
【００１９】
図１は、文書処理システム１０１の全体構成の実施例１を示す図である。
【００２０】
図１に示すように、文書処理システム１０１は、ユーザが扱う１または複数のパーソナルコンピュータ（以後、ＰＣと称する）２と、データファイル（以後、文書と称する）の管理を行う文書管理装置３と、文書処理システム１０１で文書の印刷を要求するユーザの認証情報の認証を行う認証装置４と、文書から作成した印刷画像を用紙上に形成する画像形成装置５とを具備して構成され、それぞれの装置はＬＡＮ［Local Area Network］等のネットワーク６を介して接続されている。
【００２１】
図２は、文書管理装置３、認証装置４および画像形成装置５の機能的な構成の一例を示す図である。
【００２２】
文書管理装置３の機能的な構成について説明する。
【００２３】
文書管理装置３は、印刷要求処理部７１、認証要求部８１、文書記憶部９、印刷データ作成部１０、印刷データ送信部１１を具備して構成される。
【００２４】
印刷要求処理部７１は、ＰＣ２から送信されてきた印刷要求を受信する処理、ＰＣ２に対してユーザの認証情報を要求する処理、ＰＣ２から送信されてきたユーザの認証情報を受信する処理等を行う。
【００２５】
認証要求部８１は、印刷要求処理部７１がＰＣ２から受信したユーザの認証情報の認証を認証装置４に対して要求する処理、認証装置４から送信されてきたユーザの認証情報の認証結果を受信する処理等を行う。
【００２６】
文書記憶部９は、文書を記憶する記憶領域である。
【００２７】
印刷データ作成部１０は、印刷要求処理部７１がＰＣ２から受信した印刷要求の対象となっている文書から画像形成装置５で解釈が可能な形式の印刷データ（例えば、ＰＤＬ等）を作成する処理、作成した印刷データにユーザの認証情報を付加する処理等を行う。
【００２８】
印刷データ送信部１１は、印刷データ作成部１０で作成したユーザの認証情報を含む印刷データを画像形成装置５に対して送信する処理を行う。
【００２９】
なお、上述した印刷要求処理部７１、認証要求部８１、印刷データ作成部１０、印刷データ送信部１１を機能として具備する文書管理プログラムを汎用のコンピュータまたはサーバに組み込んだ構成を適用することも可能である。その際には、コンピュータまたはサーバの記憶部に文書管理プログラムが記憶され、コンピュータまたはサーバのＣＰＵが記憶部に記憶されている文書管理プログラムを実行することになる。また、文書管理プログラムは、例えば、各種メモリ、光ディスク等の記憶媒体に記憶して提供することが可能であり、例えば、ネットワーク等の通信回線を介して配信することも可能である。
【００３０】
次に、認証装置４の機能的な構成について説明する。
【００３１】
認証装置４は、認証要求処理部１２、認証処理部１３、認証情報・地紋情報記憶部１４を具備して構成される。
【００３２】
認証要求処理部１２は、文書管理装置３または画像形成装置５からのユーザの認証情報の認証の要求を受け付ける処理、認証処理部１３で行ったユーザの認証情報の認証結果を文書管理装置３または画像形成装置５に対して送信する処理を行う。なお、画像形成装置５に対しては認証結果およびユーザの認証情報に対応する地紋情報（詳細は後述）を送信する。
【００３３】
認証処理部１３は、認証要求処理部１２が受け付けたユーザの認証情報の認証処理を行う。
【００３４】
認証情報・地紋情報記憶部１４は、ユーザの認証情報毎に地紋画像として付加する文字情報（以後、地紋情報と称する）を記憶する記憶領域である。例えば、図３に示すようなテーブルの形式でユーザの認証情報とそれに対応する地紋情報とを記憶する。画像形成装置５から認証情報「ＡＨ２１８９７２」を受信した場合、認証情報「ＡＨ２１８９７２」の認証が成功すると、認証情報「ＡＨ２１８９７２」に対応する地紋情報「第一開発部  佐藤一郎」を画像形成装置５に対して送信する。
【００３５】
なお、上述した認証要求処理部１２、認証処理部１３を機能として具備する認証プログラムを汎用のコンピュータまたはサーバに組み込んだ構成を適用することも可能である。その際には、コンピュータまたはサーバの記憶部に認証プログラムが記憶され、コンピュータまたはサーバのＣＰＵが記憶部に記憶されている認証プログラムを実行することになる。また、認証プログラムは、例えば、各種メモリ、光ディスク等の記憶媒体に記憶して提供することが可能であり、例えば、ネットワーク等の通信回線を介して配信することも可能である。
【００３６】
次に、画像形成装置５の機能的な構成について説明する。
【００３７】
画像形成装置５は、印刷データ受信部１５、認証情報抽出部１６、認証要求部８２、地紋画像作成部１７、印刷画像作成部１８、地紋画像合成部１９、画像形成部２０を具備して構成される。
【００３８】
印刷データ受信部１５は、文書管理装置３から送信されてきた印刷データを受信する処理を行う。
【００３９】
認証情報抽出部１６は、印刷データ受信部１５で受信した印刷データに含まれるユーザの認証情報を抽出する処理を行う。
【００４０】
認証要求部８２は、認証情報抽出部１６で抽出したユーザの認証情報の認証を認証装置４に対して要求する処理、認証装置４から送信されてきたユーザの認証情報の認証結果およびユーザの認証情報に対応する地紋情報を受信する処理等を行う。
【００４１】
地紋画像作成部１７は、認証要求部８２で受信したユーザの認証情報に対応する地紋情報に基づいて地紋画像を作成する処理を行う。
【００４２】
印刷画像作成部１８は、印刷データからビットマップデータ等の印刷画像を作成する処理を行う。
【００４３】
地紋画像合成部１９は、印刷画像作成部１８で作成した印刷画像に地紋画像作成部１７で作成した地紋画像を合成する処理を行う。
【００４４】
画像形成部２０は、地紋画像が合成された印刷画像を印刷媒体に画像形成する処理を行う。
【００４５】
なお、上述した印刷データ受信部１５、認証情報抽出部１６、認証要求部８２、地紋画像作成部１７、印刷画像作成部１８、地紋画像合成部１９を機能として具備する画像形成プログラムを汎用の画像形成装置に組み込んだ構成を適用することも可能である。その際には、画像形成装置の記憶部に画像形成プログラムが記憶され、画像形成装置のＣＰＵが記憶部に記憶されている画像形成プログラムを実行することになる。また、画像形成プログラムは、例えば、各種メモリ、光ディスク等の記憶媒体に記憶して提供することが可能であり、例えば、ネットワーク等の通信回線を介して配信することも可能である。
【００４６】
次に、文書処理システム１０１で行われる処理の流れの一例について図４に示すシーケンス図を参照して説明する。
【００４７】
文書管理装置で管理している文書の印刷を要求するためにユーザがＰＣに対して所定の操作を行うと、ＰＣは文書管理装置に対して利用要求を送信する（Ｓ４０１）。
【００４８】
文書管理装置の印刷要求処理部はＰＣからの利用要求を受信すると、ＰＣに対して認証情報要求を送信する（Ｓ４０２）。
【００４９】
ＰＣは文書管理装置からの認証情報要求を受信すると、認証情報の入力を促すメッセージ等をディスプレイ等に表示し、そのメッセージを確認したユーザが自己の認証情報を入力すると（なお、キーボード、ＩＣカード等で入力）、ＰＣは文書管理装置に対してユーザの認証情報を送信する（Ｓ４０３）。
【００５０】
文書管理装置の印刷要求部がＰＣからのユーザの認証情報を受信すると、文書管理装置の認証要求部は認証装置に対してユーザの認証情報の認証要求を送信する（Ｓ４０４）。
【００５１】
認証装置の認証要求処理部が文書管理装置からの認証要求を受信すると、認証装置の認証処理部はユーザの認証情報の認証処理を実施し（Ｓ４０５）、認証要求処理部は文書管理装置に対してユーザの認証情報の認証処理の結果を送信する（Ｓ４０６）。
【００５２】
文書管理装置の認証要求部が認証装置からの認証処理の結果を受信すると、認証処理の結果が成功の場合、文書管理装置の印刷要求処理部はＰＣに対して文書の印刷許可を送信する（Ｓ４０７）。なお、認証処理の結果が失敗の場合、文書管理装置の印刷要求処理部はＰＣに対して文書の印刷不許可を送信する。
【００５３】
ＰＣは文書管理装置からの文書の印刷許可を受信すると、文書の印刷許可を示すメッセージ等をディスプレイ等に表示し、そのメッセージを確認したユーザが文書の印刷要求を入力すると、ＰＣは文書管理装置に対して文書の印刷要求を送信する（Ｓ４０８）。
【００５４】
文書管理装置の印刷要求処理部がＰＣからの文書の印刷要求を受信すると、文書管理装置の印刷データ作成部は印刷要求の対象となっている文書を文書記憶部から取り出し、取り出した文書から印刷データを作成し、作成した印刷データにユーザの認証情報を付加し（Ｓ４０９）、文書管理装置の印刷データ送信部は画像形成装置に対して印刷データを送信する（Ｓ４１０）。
【００５５】
画像形成装置の印刷データ受信部が文書管理装置からの印刷データを受信すると、画像形成装置の認証情報抽出部は印刷データから認証情報を抽出し（Ｓ４１１）、画像形成装置の認証要求部は認証装置に対して認証情報の認証要求を送信する（Ｓ４１２）。
【００５６】
認証装置の認証要求処理部が画像形成装置からの認証要求を受信すると、認証装置の認証処理部は認証情報の認証処理を実施し（Ｓ４１３）、認証要求処理部は認証情報に対応する地紋情報を認証情報・地紋情報記憶部から取り出し、画像形成装置に対して認証情報の認証処理の結果および地紋情報を送信する（Ｓ４１４）。
【００５７】
画像形成装置の認証要求部が認証装置からの認証情報および地紋情報を受信すると、画像形成装置の地紋画像作成部は地紋情報に基づいて地紋画像を作成し、画像形成装置の印刷画像作成部は印刷データから印刷画像を作成し（Ｓ４１５）、画像形成装置の地紋画像合成部は印刷画像に地紋画像を合成し（Ｓ４１６）、画像形成装置の画像形成部は地紋画像が合成された印刷画像の画像形成を行い（Ｓ４１７）、処理手順を終了する。
【実施例２】
【００５８】
図５は、文書処理システム１０２の全体構成の実施例２を示す図である。
【００５９】
図５に示すように、文書処理システム１０２は、ユーザが扱う１または複数のパーソナルコンピュータ（以後、ＰＣと称する）２と、文書処理システム１０２で印刷を要求するユーザの認証情報の認証を行う認証装置４と、印刷画像を用紙上に形成する画像形成装置５とを具備して構成され、それぞれの装置はＬＡＮ［Local Area Network］等のネットワーク６を介して接続されている。
【００６０】
なお、実施例２では、ＰＣ２にインストールされているプリンタドライバ等でデータファイル等から印刷データを作成し、作成した印刷データにユーザの認証情報を付加し、印刷データを画像形成装置５に直接送信する構成となっている。
【００６１】
図６は、画像形成装置５および認証装置４の機能的な構成の一例を示す図である。
【００６２】
画像形成装置５の機能的な構成について説明する。
【００６３】
画像形成装置５は、印刷データ受信部１５、認証情報抽出部１６、認証要求部８２、地紋画像作成部１７、印刷画像作成部１８、地紋画像合成部１９、画像形成部２０を具備して構成される。
【００６４】
印刷データ受信部１５は、ＰＣ２から送信されてきた印刷データを受信する処理を行う。
【００６５】
認証情報抽出部１６は、印刷データ受信部１５で受信した印刷データに含まれるユーザの認証情報を抽出する処理を行う。
【００６６】
認証要求部８２は、認証情報抽出部１６で抽出したユーザの認証情報の認証を認証装置４に対して要求する処理、認証装置４から送信されてきたユーザの認証情報の認証結果およびユーザの認証情報に対応する地紋情報を受信する処理等を行う。
【００６７】
地紋画像作成部１７は、認証要求部８２で受信したユーザの認証情報に対応する地紋情報に基づいて地紋画像を作成する処理を行う。
【００６８】
印刷画像作成部１８は、印刷データからビットマップデータ等の印刷画像を作成する処理を行う。
【００６９】
地紋画像合成部１９は、印刷画像作成部１８で作成した印刷画像に地紋画像作成部１７で作成した地紋画像を合成する処理を行う。
【００７０】
画像形成部２０は、地紋画像が合成された印刷画像を印刷媒体に画像形成する処理を行う。
【００７１】
なお、上述した印刷データ受信部１５、認証情報抽出部１６、認証要求部８２、地紋画像作成部１７、印刷画像作成部１８、地紋画像合成部１９を機能として具備する画像形成プログラムを汎用の画像形成装置に組み込んだ構成を適用することも可能である。その際には、画像形成装置の記憶部に画像形成プログラムが記憶され、画像形成装置のＣＰＵが記憶部に記憶されている画像形成プログラムを実行することになる。また、画像形成プログラムは、例えば、各種メモリ、光ディスク等の記憶媒体に記憶して提供することが可能であり、例えば、ネットワーク等の通信回線を介して配信することも可能である。
【００７２】
次に、認証装置４の機能的な構成について説明する。
【００７３】
認証装置４は、認証要求処理部１２、認証処理部１３、認証情報・地紋情報記憶部１４を具備して構成される。
【００７４】
認証要求処理部１２は、画像形成装置５からのユーザの認証情報の認証の要求を受け付ける処理、認証処理部１３で行ったユーザの認証情報の認証結果およびユーザの認証情報に対応する地紋情報を画像形成装置５に対して送信する処理を行う。
【００７５】
認証処理部１３は、認証要求処理部１２が受け付けたユーザの認証情報の認証処理を行う。
【００７６】
認証情報・地紋情報記憶部１４は、ユーザの認証情報毎に地紋画像として付加する文字情報を記憶する記憶領域である。例えば、図３に示すようなテーブルの形式でユーザの認証情報とそれに対応する地紋情報とを記憶する。画像形成装置から認証情報「ＡＨ２１８９７２」を受信した場合、認証情報「ＡＨ２１８９７２」の認証が成功すると、認証情報「ＡＨ２１８９７２」に対応する地紋情報「第一開発部  佐藤一郎」を画像形成装置に対して送信する。
【００７７】
なお、上述した認証要求処理部１２、認証処理部１３を機能として具備する認証プログラムを汎用のコンピュータまたはサーバに組み込んだ構成を適用することも可能である。その際には、コンピュータまたはサーバの記憶部に認証プログラムが記憶され、コンピュータまたはサーバのＣＰＵが記憶部に記憶されている認証プログラムを実行することになる。また、認証プログラムは、例えば、各種メモリ、光ディスク等の記憶媒体に記憶して提供することが可能であり、例えば、ネットワーク等の通信回線を介して配信することも可能である。
【００７８】
次に、文書処理システム１０２で行われる処理の流れの一例について図７に示すシーケンス図を参照して説明する。
【００７９】
印刷を要求するためにユーザがＰＣに対して所定の操作を行うと、ＰＣは画像形成装置に対してユーザの認証情報を含む印刷データを送信する（Ｓ７０１）。
【００８０】
画像形成装置の印刷データ受信部がＰＣからの印刷データを受信すると、画像形成装置の認証情報抽出部は印刷データからユーザの認証情報を抽出し（Ｓ７０２）、画像形成装置の認証要求部は認証装置に対して認証情報の認証要求を送信する（Ｓ７０３）。
【００８１】
認証装置の認証要求処理部が画像形成装置からの認証要求を受信すると、認証装置の認証処理部は認証情報の認証処理を実施し（Ｓ７０４）、認証要求処理部は認証情報に対応する地紋情報を認証情報・地紋情報記憶部から取り出し、画像形成装置に対して認証情報の認証処理の結果および地紋情報を送信する（Ｓ７０５）。
【００８２】
画像形成装置の認証要求部が認証装置からの認証情報および地紋情報を受信すると、画像形成装置の地紋画像作成部は地紋情報に基づいて地紋画像を作成し、画像形成装置の印刷画像作成部は印刷データから印刷画像を作成し（Ｓ７０６）、画像形成装置の地紋画像合成部は印刷画像に地紋画像を合成し（Ｓ７０７）、画像形成装置の画像形成部は地紋画像が合成された印刷画像の画像形成を行い（Ｓ７０８）、処理手順を終了する。
【実施例３】
【００８３】
図８は、文書処理システム１０３の全体構成の実施例３を示す図である。
【００８４】
図８に示すように、文書処理システム１０３は、データファイル（以後、文書と称する）の管理を行う文書管理装置３と、文書処理システム１０３で文書の印刷を要求するユーザの認証情報の認証を行う認証装置４と、文書から作成した印刷画像を用紙上に形成する画像形成装置５とを具備して構成され、それぞれの装置はＬＡＮ［Local Area Network］等のネットワークを介して接続されている。
【００８５】
なお、実施例３では、画像形成装置から文書管理装置に対して印刷要求を行う構成となっている。
【００８６】
図９は、画像形成装置５、文書管理装置３および認証装置４の機能的な構成の一例を示す図である。
【００８７】
画像形成装置５の機能的な構成について説明する。
【００８８】
画像形成装置５は、印刷要求受付部２１、印刷要求処理部７２、認証情報抽出部１６、認証要求部８２、地紋画像作成部１７、印刷画像作成部１８、地紋画像合成部１９、画像形成部２０を具備して構成される。
【００８９】
印刷要求受付部２１は、ユーザがボタン等のユーザインターフェースで所定の操作を行うことで入力した印刷要求、ユーザの認証情報を受け付ける処理を行う。
【００９０】
印刷要求処理部７２は、文書管理装置２に対して印刷データの要求を送信する処理、文書管理装置２に対してユーザの認証情報を送信する処理、文書管理装置３から送信されてきた印刷データを受信する処理等を行う。
【００９１】
認証情報抽出部１６は、印刷要求処理部７２で受信した印刷データに含まれるユーザの認証情報を抽出する処理を行う。
【００９２】
認証要求部８２は、認証情報抽出部１６で抽出したユーザの認証情報の認証を認証装置４に対して要求する処理、認証装置４から送信されてきたユーザの認証情報の認証結果およびユーザの認証情報に対応する地紋情報を受信する処理等を行う。
【００９３】
地紋画像作成部１７は、認証要求部８２で受信したユーザの認証情報に対応する地紋情報に基づいて地紋画像を作成する処理を行う。
【００９４】
印刷画像作成部１８は、印刷データからビットマップデータ等の印刷画像を作成する処理を行う。
【００９５】
地紋画像合成部１９は、印刷画像作成部１８で作成した印刷画像に地紋画像作成部１７で作成した地紋画像を合成する処理を行う。
【００９６】
画像形成部２０は、地紋画像が合成された印刷画像を印刷媒体に画像形成する処理を行う。
【００９７】
なお、上述した印刷要求受付部２１、印刷要求処理部７２、認証情報抽出部１６、認証要求部８２、地紋画像作成部１７、印刷画像作成部１８、地紋画像合成部１９を機能として具備する画像形成プログラムを汎用の画像形成装置に組み込んだ構成を適用することも可能である。その際には、画像形成装置の記憶部に画像形成プログラムが記憶され、画像形成装置のＣＰＵが記憶部に記憶されている画像形成プログラムを実行することになる。また、画像形成プログラムは、例えば、各種メモリ、光ディスク等の記憶媒体に記憶して提供することが可能であり、例えば、ネットワーク等の通信回線を介して配信することも可能である。
【００９８】
文書管理装置３の機能的な構成について説明する。
【００９９】
文書管理装置３は、印刷要求処理部７１、認証要求部８１、文書記憶部９、印刷データ作成部１０を具備して構成される。
【０１００】
印刷要求処理部７１は、画像形成装置５から送信されてきた印刷データの要求を受信する処理、画像形成装置５から送信されてきたユーザの認証情報を受信する処理、画像形成装置５に対して印刷データを送信する処理等を行う。
【０１０１】
認証要求部８１は、印刷要求処理部７１が画像形成装置５から受信したユーザの認証情報の認証を認証装置４に対して要求する処理、認証装置４から送信されてきたユーザの認証情報の認証結果を受信する処理等を行う。
【０１０２】
文書記憶部９は、文書を記憶する記憶領域である。
【０１０３】
印刷データ作成部１０は、印刷要求処理部７１が画像形成装置５から受信した印刷要求の対象となっている文書から画像形成装置５で解釈が可能な形式の印刷データ（例えば、ＰＤＬ等）を作成する処理、作成した印刷データにユーザの認証情報を付加する処理等を行う。
【０１０４】
なお、上述した印刷要求処理部７１、認証要求部８１、印刷データ作成部１０を機能として具備する文書管理プログラムを汎用のコンピュータまたはサーバに組み込んだ構成を適用することも可能である。その際には、コンピュータまたはサーバの記憶部に文書管理プログラムが記憶され、コンピュータまたはサーバのＣＰＵが記憶部に記憶されている文書管理プログラムを実行することになる。また、文書管理プログラムは、例えば、各種メモリ、光ディスク等の記憶媒体に記憶して提供することが可能であり、例えば、ネットワーク等の通信回線を介して配信することも可能である。
【０１０５】
次に、認証装置４の機能的な構成について説明する。
【０１０６】
認証装置４は、認証要求処理部１２、認証処理部１３、認証情報・地紋情報記憶部１４を具備して構成される。
【０１０７】
認証要求処理部１２は、文書管理装置３または画像形成装置５からのユーザの認証情報の認証の要求を受け付ける処理、認証処理部１３で行ったユーザの認証情報の認証結果を文書管理装置３または画像形成装置５に対して送信する処理を行う。なお、画像形成装置５に対しては認証結果およびユーザの認証情報に対応する地紋情報（後述にて説明）を送信する。
【０１０８】
認証処理部１３は、認証要求処理部１２が受け付けたユーザの認証情報の認証処理を行う。
【０１０９】
認証情報・地紋情報記憶部１４は、ユーザの認証情報毎に地紋画像として付加する文字情報（以後、地紋情報と称する）を記憶する記憶領域である。例えば、図３に示すようなテーブルの形式でユーザの認証情報とそれに対応する地紋情報とを記憶する。画像形成装置から認証情報「ＡＨ２１８９７２」を受信した場合、認証情報「ＡＨ２１８９７２」の認証が成功すると、認証情報「ＡＨ２１８９７２」に対応する地紋情報「第一開発部  佐藤一郎」を画像形成装置に対して送信する。
【０１１０】
なお、上述した認証要求処理部１２、認証処理部１３を機能として具備する認証プログラムを汎用のコンピュータまたはサーバに組み込んだ構成を適用することも可能である。その際には、コンピュータまたはサーバの記憶部に認証プログラムが記憶され、コンピュータまたはサーバのＣＰＵが記憶部に記憶されている認証プログラムを実行することになる。また、認証プログラムは、例えば、各種メモリ、光ディスク等の記憶媒体に記憶して提供することが可能であり、例えば、ネットワーク等の通信回線を介して配信することも可能である。
【０１１１】
次に、文書処理システム１０３で行われる処理の流れの一例について図１０に示すシーケンス図を参照して説明する。
【０１１２】
文書管理装置で管理している文書の印刷を要求するためにユーザが画像形成装置に対して所定の操作を行うと、画像形成装置の印刷要求受付部は印刷要求を受け付け、画像形成装置の印刷要求処理部は文書管理装置に対して利用要求を送信する（Ｓ１００１）。
【０１１３】
文書管理装置の印刷要求処理部は画像形成装置からの利用要求を受信すると、画像形成装置に対して認証情報要求を送信する（Ｓ１００２）。
【０１１４】
画像形成装置の印刷要求処理部は文書管理装置からの認証情報要求を受信すると、認証情報の入力を促すメッセージ等をディスプレイ等に表示し、そのメッセージを確認したユーザが自己の認証情報を入力すると（なお、キーボード、ＩＣカード等で入力）、画像形成装置の印刷要求受付部はユーザの認証情報を受け付け、画像形成装置の印刷要求処理部は文書管理装置に対してユーザの認証情報を送信する（Ｓ１００３）。
【０１１５】
文書管理装置の印刷要求部が画像形成装置からのユーザの認証情報を受信すると、文書管理装置の認証要求部は認証装置に対してユーザの認証情報の認証要求を送信する（Ｓ１００４）。
【０１１６】
認証装置の認証要求処理部が文書管理装置からの認証要求を受信すると、認証装置の認証処理部はユーザの認証情報の認証処理を実施し（Ｓ１００５）、認証要求処理部は文書管理装置に対してユーザの認証情報の認証処理の結果を送信する（Ｓ１００６）。
【０１１７】
文書管理装置の認証要求部が認証装置からの認証処理の結果を受信すると、認証処理の結果が成功の場合、文書管理装置の印刷要求処理部は画像形成装置に対して文書の印刷許可を送信する（Ｓ１００７）。なお、認証処理の結果が失敗の場合、文書管理装置の印刷要求処理部は画像形成装置に対して文書の印刷不許可を送信する。
【０１１８】
画像形成装置の印刷要求処理部は文書管理装置からの文書の印刷許可を受信すると、文書の印刷許可を示すメッセージ等をディスプレイ等に表示し、そのメッセージを確認したユーザが文書の印刷要求を入力すると、画像形成装置の印刷要求受付部は文書の印刷要求を受け付け、画像形成装置の印刷要求処理部は文書管理装置に対して印刷データの要求を送信する（Ｓ１００８）。
【０１１９】
文書管理装置の印刷要求処理部が画像形成装置からの印刷データの要求を受信すると、文書管理装置の印刷データ作成部は要求の対象となっている文書を文書記憶部から取り出し、取り出した文書から印刷データを作成し、作成した印刷データにユーザの認証情報を付加し（Ｓ１００９）、文書管理装置の印刷要求処理部は画像形成装置に対して印刷データを送信する（Ｓ１０１０）。
【０１２０】
画像形成装置の印刷要求処理部が文書管理装置からの印刷データを受信すると、画像形成装置の認証情報抽出部は印刷データから認証情報を抽出し（Ｓ１０１１）、画像形成装置の認証要求部は認証装置に対して認証情報の認証要求を送信する（Ｓ１０１２）。
【０１２１】
認証装置の認証要求処理部が画像形成装置からの認証要求を受信すると、認証装置の認証処理部は認証情報の認証処理を実施し（Ｓ１０１３）、認証要求処理部は認証情報に対応する地紋情報を認証情報・地紋情報記憶部から取り出し、画像形成装置に対して認証情報の認証処理の結果および地紋情報を送信する（Ｓ１０１４）。
【０１２２】
画像形成装置の認証要求部が認証装置からの認証情報および地紋情報を受信すると、画像形成装置の地紋画像作成部は地紋情報に基づいて地紋画像を作成し、画像形成装置の印刷画像作成部は印刷データから印刷画像を作成し（Ｓ１０１５）、画像形成装置の地紋画像合成部は印刷画像に地紋画像を合成し（Ｓ１０１６）、画像形成装置の画像形成部は地紋画像が合成された印刷画像の画像形成を行い（Ｓ１０１７）、処理手順を終了する。
【図面の簡単な説明】
【０１２３】
【図１】文書処理システムの全体構成の実施例１を示す図である。
【図２】文書管理装置、認証装置および画像形成装置の機能的な構成の一例を示す図である。
【図３】認証情報・地紋情報記憶部に記憶されている認証情報および地紋情報の一例を示す図である。
【図４】文書処理システムで行われる処理の流れの一例を示すシーケンス図である。
【図５】文書処理システムの全体構成の実施例２を示す図である。
【図６】画像形成装置および認証装置の機能的な構成の一例を示す図である。
【図７】文書処理システムで行われる処理の流れの一例を示すシーケンス図である。
【図８】文書処理システムの全体構成の実施例３を示す図である。
【図９】画像形成装置、文書管理装置および認証装置の機能的な構成の一例を示す図である。
【図１０】文書処理システムで行われる処理の流れの一例を示すシーケンス図である。
【符号の説明】
【０１２４】
１０１、１０２、１０３    文書処理システム
２    ＰＣ
３    文書管理装置
４    認証装置
５    画像形成装置
６    ネットワーク
７１、７２    印刷要求処理部
８１、８２    認証要求部
９    文書記憶部
１０    印刷データ作成部
１１    印刷データ送信部
１２    認証要求処理部
１３    認証処理部
１４    認証情報・地紋情報記憶部
１５    印刷データ受信部
１６    認証情報抽出部
１７    地紋画像作成部
１８    印刷画像作成部
１９    地紋画像合成部
２０    画像形成部
２１    印刷要求受付部
【図１】
0004946853.tif 000002
【図２】
0004946853.tif 000003
【図３】
0004946853.tif 000004
【図４】
0004946853.tif 000005
【図５】
0004946853.tif 000006
【図６】
0004946853.tif 000007
【図７】
0004946853.tif 000008
【図８】
0004946853.tif 000009
【図９】
0004946853.tif 000010
【図１０】
0004946853.tif 000011